(57)【特許請求の範囲】
【請求項１】
少なくとも１つの光源を有する照明モジュールの光出力を制御するための照明器具であって、前記照明器具が、
ハウジングと、
照明モジュールとインターフェースするための複数のコネクタであって、各コネクタが、前記ハウジングに対する配置及び重力場に対する向きによって規定される位置を持ち、少なくとも２つのコネクタが、異なる向きを持つ複数のコネクタと、
コネクタにおいて前記照明モジュールを検出し、前記コネクタの位置を示す情報にアクセスし、前記照明モジュールから受信される信号に基づいて前記照明モジュールを識別し、前記照明モジュールの識別及び前記コネクタの位置に基づいて前記照明モジュールの光出力を制御するためのプロセッサとを有する照明器具。
【請求項２】
前記照明器具が、向きセンサであって、前記向きセンサの向きを示す向き信号を前記プロセッサに供給するための向きセンサを有し、前記プロセッサが、更に、前記向き信号に基づいて前記コネクタの向きを決定するよう構成される請求項１に記載の照明器具。
【請求項３】
前記向きセンサが、前記照明器具の前記ハウジング内に配置される請求項２に記載の照明器具。
【請求項４】
前記コネクタの向きが、前記ハウジングの向きに対して固定されており、前記プロセッサが、更に、前記ハウジングの向きに基づいて前記コネクタの向きを決定するよう構成される請求項３に記載の照明器具。
【請求項５】
前記向きセンサが、前記コネクタ内に配置される請求項２に記載の照明器具。
【請求項６】
前記照明器具が、前記ハウジングの向きに対する前記コネクタの向きを調節するよう構成されるコネクタ向き調節素子を更に有する請求項５に記載の照明器具。
【請求項７】
前記プロセッサが、更に、前記複数のコネクタのうちの他のコネクタに接続された他の照明モジュールの光出力を、前記照明モジュールの光出力に基づいて制御するよう構成される請求項１乃至６のいずれか一項に記載の照明器具。
【請求項８】
前記照明器具が、前記照明モジュールを更に有し、前記照明モジュールが、
前記照明器具の前記複数のコネクタのうちの１つとインターフェースするための第２コネクタと、
前記照明器具から受信される制御信号に基づいて前記照明モジュールの光出力を制御するよう構成される第２プロセッサとを有する請求項１乃至７のいずれか一項に記載の照明器具。
【請求項９】
少なくとも１つの光源を有する照明モジュールの光出力を制御する方法であって、前記方法が、
複数のコネクタであって、各コネクタが、照明器具のハウジングに対する配置及び重力場に対する向きによって規定される位置を持ち、少なくとも２つのコネクタが、異なる向きを持つ複数のコネクタのうちのコネクタにおいて前記照明モジュールを検出するステップと、
前記コネクタの位置を示す情報にアクセスするステップと、
前記照明モジュールから受信される信号に基づいて前記照明モジュールを識別するステップと、
前記照明モジュールの識別及び前記コネクタの位置に基づいて、前記照明モジュールの光出力を制御するステップとを有する方法。
【請求項１０】
前記コネクタの向きを検出するステップを更に有する請求項９に記載の方法。
【発明の詳細な説明】
【技術分野】
【０００１】
本発明は、少なくとも１つの光源を有する照明モジュールの光出力を制御するための照明器具に関する。本発明は、更に、前記照明器具での使用のための照明モジュールに関する。本発明は、更に、少なくとも１つの光源を有する照明モジュールの光出力を制御する方法に関する。
【背景技術】
【０００２】
現在及び将来のスマート照明装置は、既にデジタル制御されている、又はデジタル制御されるだろう。このことは、このような照明装置のための新しい制御パラダイムを供給する。このようなスマート照明装置の例は、様々なランプ及びセンサを受け入れるよう構成されるソケットを含むモジュール式USB照明器具である。ユーザは、例えば、照明器具の第１ソケットから作業照明を供給するよう構成されるランプを取り外し、このランプを、周囲照明を供給するよう構成されるランプと交換し得る。同じ照明器具の第２ソケットは、センサ信号を、接続されるランプをそれに応じて制御する照明器具の中央処理ユニットに供給する、ユーザの存在を検出する占有センサのようなセンサを受け入れるよう構成され得る。しかしながら、このようなモジュール式照明器具システムの機能は、現在、接続されるセンサ及び／又はランプの各々がどのようにコンフィギュア(configure)されているか（又はコミッション(commission)されているか）に依存する。このコンフィギュレーションプロセス(configuration process)は、平均的なユーザにとっては煩雑であり得る。従って、当技術分野においては、照明器具に接続されるモジュールを自動的にコンフィギュアするニーズがある。
【発明の概要】
【発明が解決しようとする課題】
【０００３】
本発明の目的は、接続されるモジュールを自動的にコンフィギュアするモジュール式照明器具を提供することである。本発明の他の目的は、接続されるモジュールを自動的に制御するモジュール式照明器具を提供することである。本発明の他の目的は、照明器具とインターフェースするよう構成される照明器具モジュールを提供することである。
【課題を解決するための手段】
【０００４】
本発明の第１の態様によれば、前記目的は、少なくとも１つの光源を有する照明モジュールの光出力を制御するための照明器具であって、前記照明器具が、
−  ハウジングと、
−  前記照明モジュールとインターフェースするための複数のコネクタであって、前記コネクタが、前記ハウジングに対する配置及び重力場に対する向きによって規定される位置を持ち、少なくとも２つのコネクタが、異なる向きを持つ複数のコネクタと、
−  コネクタにおいて前記照明モジュールを検出し、前記コネクタの位置を示す情報にアクセスし、前記照明モジュールから受信される信号に基づいて前記照明モジュールを識別し、前記照明モジュールの識別及び前記コネクタの位置に基づいて前記照明モジュールの光出力を制御するためのプロセッサとを有する照明器具によって、達成される。
【０００５】
前記プロセッサは、前記照明モジュールが前記照明器具に接続されている前記コネクタの位置に基づいて前記光出力を制御することによって、接続されている前記照明モジュールがどのように動作するかを決定することができる。前記位置（前記ハウジングに対する前記コネクタの配置及び前記コネクタの向き）、及びそれと共に、前記照明モジュールの位置が、前記プロセッサが前記照明モジュールをどのようにコンフィギュア及び／又は制御するかを決定する。これは、前記照明モジュールが前記照明器具に接続されるときに、前記照明モジュールの光出力がその位置に基づいて制御されるという利点を供給する。ユーザは、例えば、照明モジュール（例えば、LEDランプ）を、シャンデリア照明器具の、上を向いているコネクタに接続し得る。前記プロセッサは、前記照明モジュールの光出力を、周囲光設定に従って制御することを決定し得る一方で、前記照明モジュールが、下向きのコネクタに接続されるときには、前記プロセッサは、前記照明モジュールの光出力を、作業光設定に従って制御することを決定し得る。
【０００６】
前記コネクタの位置は、前記ハウジングに対する前記コネクタの配置によって規定される。前記ハウジングに対する前記コネクタの配置（及びそれと共に、接続された照明モジュールの配置）は、前記コネクタのユニークなアドレスに関連して決定され得る。各コネクタは、それ自身のアドレスを持つことができ、前記プロセッサは、これらのアドレスにアクセスし得る。これは、前記プロセッサが、照明モジュールとインターフェースするコネクタの位置を決定することを可能にすることから、有利である。
【０００７】
前記照明器具の実施例においては、前記照明器具は、向きセンサであって、前記向きセンサの向きを示す向き信号を前記プロセッサに供給するための向きセンサを有し、前記プロセッサは、更に、前記向き信号に基づいて前記ハウジングに対する前記コネクタの向きを決定するよう構成される。これは、前記プロセッサが、重力場に対する前記照明器具及び／又は前記コネクタの向き（例えば、傾斜）（並びにそれと共に、前記照明モジュールの向き）に基づいて前記照明モジュールの光出力を制御することを可能にすることから、有益である。
【０００８】
前記照明器具の実施例においては、前記向きセンサは、前記照明器具の前記ハウジング内に配置される。この実施例は、前記コネクタの向きが前記ハウジングの向きに対して固定されているときには、前記プロセッサが、前記ハウジングの向きに基づいて、前記コネクタの向き、及びそれと共に、前記照明モジュールの向きを決定することができることから、前記コネクタの向きが前記ハウジングの向きに対して固定されているときには、有利であり得る。
【０００９】
前記照明器具の実施例においては、前記向きセンサは、前記コネクタ内に配置される。この実施例は、前記コネクタの向きが前記ハウジングの向きに対して固定されていないときには、有利であり得る。前記照明器具は、例えば、前記ハウジングの向きに対する前記コネクタの向きを調節するよう構成されるコネクタ向き調節素子を更に含み得る。これは、前記プロセッサが、前記向きセンサから受信される信号に基づいて、前記コネクタの向き、及びそれと共に、前記照明モジュールの向きを決定することができる。
【００１０】
前記照明器具の実施例においては、各コネクタは、前記コネクタ又は前記照明器具の環境状態(environmental condition)を検出するよう構成される少なくとも１つのセンサを有するセンサモジュールとインターフェースするよう構成され、前記プロセッサは、前記センサモジュールの位置に基づいて前記センサモジュールの動作モードを制御するよう構成される。この実施例は、前記センサがどのように動作するか（例えば、前記センサがその環境をどのように検出するか）を前記プロセッサが決定することを可能にすることから、有利である。他の実施例においては、前記照明器具は、（他のコネクタに接続され得る）少なくとも１つの光源を更に有し、前記プロセッサは、検出された前記環境状態に基づいて前記少なくとも１つの光源の光出力を制御するよう構成される。これは、前記プロセッサが少なくとも１つの光源の光設定を制御することを可能にするという利点を供給する。
【００１１】
前記照明器具の実施例においては、前記プロセッサは、更に、前記複数のコネクタのうちの他のコネクタに接続された他の照明モジュールの光出力を、前記照明モジュールの光出力に基づいて制御するよう構成される。これは、前記プロセッサが、例えば、発光モジュールの光出力を、別の発光モジュールの設定に基づいて決定することを可能にし、それにより、場合によっては、一方の発光モジュールの光出力を他方の照明モジュールの光出力によって補完する。
【００１２】
本発明の第２の態様によれば、前記目的は、上記の実施例のうちのいずれか１つの照明器具に従う照明器具での使用のための照明モジュールであって、前記照明モジュールが、
−  前記照明器具の前記複数のコネクタのうちの１つとインターフェースするための第２コネクタと、
−  前記照明器具から受信される制御信号に基づいて前記照明モジュールの光出力を制御するよう構成されるプロセッサとを有する照明モジュールによって、達成される。
【００１３】
本発明の第３の態様によれば、前記目的は、少なくとも１つの光源を有する照明モジュールの光出力を制御する方法であって、前記方法が、
−  複数のコネクタであって、各コネクタが、照明器具のハウジングに対する配置及び重力場に対する向きによって規定される位置を持ち、少なくとも２つのコネクタが、異なる向きを持つ複数のコネクタのうちのコネクタにおいて前記照明モジュールを検出するステップと、
−  前記コネクタの位置を示す情報にアクセスするステップと、
−  前記照明モジュールから受信される信号に基づいて前記照明モジュールを識別するステップと、
−  前記照明モジュールの識別及び前記コネクタの位置に基づいて、前記照明モジュールの光出力を制御するステップとを有する方法によって、達成される。
【００１４】
前記方法の実施例においては、前記方法は、前記コネクタの向きを検出するステップを更に有する。前記コネクタの向きを検出することは、前記照明モジュールの光出力を決定するために用いられる特定のパラメータを供給するという利点を供給する。
【図面の簡単な説明】
【００１５】
開示される照明器具、照明モジュール及び方法の上記の及び更なる目的、特徴及び利点は、添付の図面に関する装置及び方法の実施例の以下の例示的且つ非限定的な詳細な説明によって、よりよく理解されるだろう。
【図１】照明モジュールの光出力を制御するための本発明による照明器具の実施例を概略的に示す。
【図２ａ】第１及び第２照明モジュールとインターフェースするための第１及び第２コネクタを有する、本発明による照明器具の実施例を概略的に示す。
【図２ｂ】各々、第１、第２及び第３照明モジュールとインターフェースするための第１、第２及び第３コネクタを有する、本発明による照明器具の実施例を概略的に示す。
【図３ａ】照明器具のハウジング内に向きセンサを有する、本発明による照明器具の実施例を概略的に示す。
【図３ｂ】第１コネクタにおいて第１向きセンサを有し、第２コネクタにおいて第２向きセンサを有する、本発明による照明器具の実施例を概略的に示す。
【図４】向きセンサの実施例を概略的に示す。
【００１６】
図は、全て、概略的なものであり、必ずしも、縮尺通りではなく、一般に、本発明を説明するために必要である部分しか示しておらず、他の部分は、省かれている場合があり、又は単に示唆されている場合がある。
【発明を実施するための形態】
【００１７】
図１は、照明モジュール１０６の光出力を制御するための、本発明による照明器具１００の実施例を概略的に示している。照明器具１００は、ハウジング１０２、及び照明モジュール１０６とインターフェースするための複数のコネクタ１０４を有する。コネクタ１０４、１０５の各々は、固定された配置によって規定され得る、ハウジングに対する位置と、重力場に対する向きと持つ。向きは、向きセンサによって検出されてもよい。照明器具１００は、複数のコネクタ１０４、１０５のコネクタ１０４における照明モジュール１０６の存在を検出し、（例えば、向きセンサから情報を受信すること、１つ以上のコネクタ及びそれらの各々の位置についての情報を格納するルックアップテーブルを記憶するメモリにアクセスすることなどによって）コネクタ１０４の位置を示す情報にアクセスするためのプロセッサ１０８（例えば、マイクロコントローラ、マイクロチップ、回路など）を更に有する。プロセッサ１０８は、更に、照明モジュール１０６から受信される信号に基づいて照明モジュール１０６を識別し、照明モジュール１０６の識別、及び関連するコネクタ１０４の位置に基づいて検出された照明モジュール１０６の光出力を制御するよう構成される。これは、プロセッサ１０８が、例えば、照明モジュール１０６をどのようにコンフィギュア及び／又は制御すべきか、又は照明モジュール１０６から受信されるデータをどのように解釈すべきかを決定することを可能にする。
【００１８】
各コネクタ１０４、１０５は、照明モジュール１０６とインターフェースするように構成される。このインターフェース（即ち、接続）は、一方向又は双方向データ通信を可能にする。これは、プロセッサ１０８が、照明モジュール１０６を、識別、検出、制御及び／又はコンフィギュアすることを可能にする。照明モジュール１０６は、例えば、USBモジュールであってもよく、コネクタ１０４、１０５は、照明モジュール１０６を受け入れるためのUSBソケットであってもよい。接続されたUSBモジュールは、例えば、（標準化されたUSB記述子である）そのidVendor及びidProductをプロセッサ１０８に通信することができ、それによって、プロセッサ１０８が照明モジュール１０６を識別することを可能にする。USBモジュールは、（発光特性、調光特性、光の色、ビーム形状、検出特性などのような）そのデバイス関連特性を更に通信し得る。照明器具１００は、識別された照明モジュール１０６の特性を記憶するためのメモリを更に含み得る。
【００１９】
ハウジング１０２内に含まれてもよく、又はハウジング１０２の外側に配置されてもよいコネクタ１０４、１０５は、照明モジュール１０６とインターフェースするように構成される任意のコネクタ１０４、１０５であり得る。コネクタ１０４、１０５は、ハウジング１０２に対して固定された位置を有してもよく、又はコネクタ１０４、１０５は、ハウジング１０２に対して調節可能な位置を有してもよい。コネクタ１０４、１０５は、照明モジュール１０６とインターフェースするよう構成され、前記照明モジュール１０６は、ハウジング１０２に対して固定された位置を備えるコネクタ１０４、１０５に接続され得る。ハウジング１０２に対して固定された位置を備えるコネクタ１０４、１０５に照明モジュール１０６を接続することによって、プロセッサ１０８は、コネクタ１０４の位置に基づいて、照明モジュール１０６の位置を決定することができる。コネクタ１０４、１０５は、例えば、ソケット（例えば、ねじ込みソケット（E14、E26、E27など）、バヨネットソケット、USBソケット、パワーオーバーイーサネットソケットなど）、又はプラグ（例えば、ねじ込みプラグ（E14、E26、E27など）、バヨネットプラグ、USBプラグ、パワーオーバーイーサネットプラグなど）であってもよいが、任意の他の機械的接続（例えば、磁気的接続）を介して照明モジュール１０６と接続するよう構成されるコネクタ１０４、１０５であってもよい。
【００２０】
各コネクタ１０４、１０５は、ハウジング１０２に対して或る位置を有する。コネクタ１０４、１０５の位置（及びそれと共に、接続された照明モジュール１０６の配置）は、ハウジング１０２に対するコネクタ１０４、１０５の配置によって規定され得る。各コネクタ１０４、１０５は、ユニークなアドレスと関連付けられることができ、プロセッサ１０８は、どのコネクタ１０４、１０５がどの照明モジュール１０６とインターフェースしているかをプロセッサ１０８が決定することを可能にするこれらのアドレスにアクセスし得る。図２ｂは、ハウジング２０２ｂに対するコネクタ２０４ｂ、２０４ｂ'、２０４ｂ"の配置によって規定される位置を備えるコネクタ２０６ｂ、２０６ｂ'および２０６ｂ"を有する照明器具２００ｂの例を示している。照明器具２００ｂは、第１アドレスＡ１と関連付けられる、ハウジング２０２ｂに対して第１配置（左）を持つ第１コネクタ２０６ｂを有する。照明器具２００ｂは、第２アドレスＡ２と関連付けられる、ハウジング２０２ｂに対して第２配置（中央）を持つ第２コネクタ２０６ｂ'を更に有する。照明器具２００ｂは、第３アドレスＡ３と関連付けられる、ハウジング２０２ｂに対して第３配置（右）を持つ第２コネクタ２０６ｂ"を更に有する。この例においては、プロセッサ（図示せず）は、コネクタ２０４ｂ、２０４ｂ'、２０４ｂ"の配置を、例えば、それらの配置と関連付けられるユニークなアドレスＡ１、Ａ２、及びＡ３として記憶するメモリ（図示せず）にアクセスし得る。これは、プロセッサ１０８が、接続された照明モジュール２０６ｂ、２０６ｂ'、２０６ｂ"の光出力を、照明モジュール２０６ｂ、２０６ｂ'、２０６ｂ"の配置に基づいて制御することを可能にする。
【００２１】
コネクタ１０４、１０５の位置は、ハウジングに対するその向きによって表されてもよい（前記ハウジングは、重力場に対する向きを持つ）。照明器具は、例えば、各々がハウジングに対してそれら自身の向きを持つ複数のコネクタを有し得る。図２ａは、このような照明器具２００ａの例を示している。図２ａの照明器具２００ａは、ハウジング２０２ａに対して第１向き（上向き）を持つ第１コネクタ２０４ａと、照明器具２００ａのハウジング２０２ａに対して第２向き（下向き）を持つ第２コネクタ２０４ａ'とを有する。この例においては、プロセッサ（図示せず）は、コネクタ２０４ａ、２０４ａ'の向きを記憶するメモリ（図示せず）にアクセスし得る。これは、プロセッサが、接続された照明モジュール２０６ａ、２０６ａ'の光出力を、照明モジュール２０６ａ、２０６ａ'の向きに基づいて制御することを可能にする。前記位置がコネクタ２０４ａ、２０４ａ'の配置及び向きの両方によって決定される実施例においては、プロセッサは、接続された照明モジュール２０６ａ、２０６ａ'の光出力を、照明モジュール２０６ａ、２０６ａ'の配置及び向きの両方に基づいて制御することができる。
【００２２】
プロセッサ１０８は、照明モジュール１０６から受信される信号に基づいて照明モジュール１０６を識別するよう構成される。照明モジュール１０６をコネクタ１０４に接続すると、コネクタ１０４と照明モジュール１０６とがインターフェースし、それによって、プロセッサ１０８が、照明モジュール１０６を識別する信号を受信することを可能にする。
【００２３】
プロセッサ１０８は、更に、照明モジュール１０６の識別、及びコネクタ１０４の位置（及びそれと共に、照明モジュール１０６の向き）に基づいて、照明モジュール１０６の光出力を制御するよう構成される。照明制御信号が、照明モジュール１０６に通信され、照明モジュール１０６が、その光出力を、プロセッサ１０８によって決定された光出力に設定することを可能にする。これは、プロセッサ１０８が照明モジュール１０６をコンフィギュア／制御することを可能にする。図２ａは、第１照明モジュール２０６ａ及び第２照明モジュール２０６ａ'とインターフェースするための第１コネクタ２０４ａ及び第２コネクタ２０４ａ'を有する、本発明による照明器具２００ａの実施例を概略的に示している。第１コネクタ２０４ａは、照明器具２００ａのハウジング２０２ａの上側に位置しており、上を向いている。第２コネクタ２０４ａ'は、照明器具２００ａのハウジング２０２ａの下側に位置しており、下を向いている。図２ａの例示的な実施例においては、コネクタ２０４ａ、２０４ａ'の位置（配置及び／又は向き）は、ハウジング２０２ａに対して固定されている。次の例は、プロセッサ（図示せず）が、第１照明モジュール２０６ａ及び第２照明モジュール２０６ａ'の光出力を、ハウジング２０２ａに対するそれらの向きに基づいてどのように制御し得るかを示している。
【００２４】
第１例においては、照明器具２００ａは、天井に吊るすペンダントランプであってもよい。ユーザは、第１照明モジュール２０６ａを第１コネクタ２０４ａに接続し、第２照明モジュール２０６ａ'を第２コネクタ２０４ａ'に接続してもよい。この例においては、第１及び第２照明モジュール２０６ａ、２０６ａ'は、光を発するよう構成される１つ以上の光源を有する。プロセッサは、照明モジュール２０６ａ、２０６ａ'の光出力を、ハウジング２０２ａに対する照明モジュール２０６ａ、２０６ａ'の向きに基づいて決定する。プロセッサは、例えば、（上を向いている）第１照明モジュール２０６ａの光出力を、周囲光設定（例えば、天井を照らす暖かい黄色）に従って制御すること、及び（下を向いている）第２照明モジュール２０６ａ'の光出力を、作業光設定（例えば、表面、ペンダントランプの下のテーブルを照らす寒い白色）に従って制御することを決定し得る。
【００２５】
図２ｂは、第１照明モジュール２０６ｂ、第２照明モジュール２０６ｂ'及び第３照明モジュール２０６ｂ"とインターフェースするための第１コネクタ２０４ｂ、第２ネクタ２０４ｂ'及び第３コネクタ２０４ｂ"を有する、本発明による照明器具２００ｂの実施例を概略的に示している。第１コネクタ２０４ｂは、照明器具２００ｂのハウジング２０２ｂの左側に位置しており、下を向いている。第２コネクタ２０４ｂ'は、照明器具２００ｂのハウジング２０２ｂの中央に位置しており、下を向いている。第３コネクタ２０４ｂ"は、照明器具２００ｂのハウジング２０２ｂの右側に位置しており、下を向いている。図２ｂの例示的な実施例においては、コネクタ２０４ｂ、２０４ｂ'、２０４ｂ"の位置（配置及び／又は向き）は、ハウジング２０２ｂに対して固定されている。照明器具２００ｂは、例えば、天井に取り付けられるトロファ（troffer）であってもよい。ユーザは、第１照明モジュール２０６ｂ、第２照明モジュール２０６ｂ'及び第３照明モジュール２０６ｂ"を、各々、第１、第２及び第３コネクタ２０４ｂ、２０４ｂ'、２０４ｂ"に接続し得る。この例においては、第１、第２及び第３照明モジュール２０６ｂ、２０６ｂ'、２０６ｂ"は、光を発するよう構成される１つ以上の光源を含み得る。プロセッサは、照明モジュール２０６ｂ、２０６ｂ'、２０６ｂ"の光出力を、ハウジング２０２ｂに対する照明モジュール２０６ｂ、２０６ｂ'、２０６ｂ"の配置に基づいて決定する。プロセッサは、例えば、ハウジング２０２ｂに対するそれらの配置に基づいて、第１照明モジュール２０６ｂの光出力を赤色光設定に設定すること、及び第３照明モジュール２０６ｂ"の光出力を黄色光設定に設定することを決定し得る。一貫した照明効果（例えば、赤色から黄色に徐々に変化する色）をもたらすために、プロセッサは、第２照明モジュール２０６ｂ'の光出力を、ハウジング２０２ｂに対するその配置に基づいて橙色光設定に設定することを決定し得る。
【００２６】
照明器具１００は、向き信号を供給するための向きセンサを更に含み得る。これは、プロセッサ１０８が、ハウジング１０２に対するコネクタ１０４、１０５の向きを、向き信号に基づいて決定することを可能にする。図３ａ及び図３ｂにおいて図示されているような次の例は、プロセッサが、照明モジュールの向きを、向き信号に基づいてどのように決定し得るかを説明する。
【００２７】
図３ａにおいて図示されているような第１例においては、向きセンサ３１０ａは、照明器具３００ａのハウジング３０２ａに配置されている。これは、コネクタ３０４ａ、３０４ａ'がハウジング３０２ａに対して固定された向きを持つ場合に有益である。向きセンサ３１０ａは、照明器具の向き及び／又は配置を検出するよう構成され得る。向きセンサ３１０ａは、例えば、照明器具３００ａが縦向きに取り付けられていることを検出することができ、プロセッサは、照明モジュール３０６ａ、３０６ａ'の光出力をこの検出に基づいて制御し得る。
【００２８】
図３ｂにおいて図示されているような第２例においては、向きセンサ３１０ｂ、３１０ｂ'は、照明器具３００ｂのコネクタ３０４ｂ、３０４ｂ'に配置されている。これは、コネクタの向きがハウジング３０２ｂの向きに対して固定されていない場合に有利である。照明器具３００ｂは、例えば、ハウジング３０２ｂの向きに対してコネクタ３０４ｂ、３０４ｂ'の向きを調節するよう構成される第１コネクタ向き調節素子３１２ｂ及び第２コネクタ向き調節素子３１２ｂ'を更に含み得る。コネクタ向き調節素子３１２ｂ、３１２ｂ'（例えば、可撓性の／曲げられるロッド、1つ以上の可動継ぎ手を含むロッド、又は任意の他の機械的に操作可能な調節可能手段）は、コネクタ３０４b、３０４b'をハウジング３０２bに結合すると共に、ユーザ又はプロセッサがコネクタ３０４b、３０４b'の配置及び／又は向きを変更することを可能にする。向きセンサ３１０ｂは、例えば、コネクタ３０４ｂが下を向いていることを検出することができ、向きセンサ３１０ｂ'は、例えば、コネクタ３０４ｂ'が横を向いていることを検出することができる。向きセンサ３１０ｂ、３１０ｂ'は、検出された向き及び／又は配置に基づいて向き信号を生成し、向き信号を、照明モジュール３０６ｂ、３０６ｂ'の光出力を向き信号に基づいて決定するプロセッサ１０８に通信するよう構成され得る。
【００２９】
図４は、重力場に対する向きを検出するための向きセンサの実施例を概略的に示している。向きセンサ４００は、重力場に対する照明器具１００又はコネクタ１０４、１０５の向きを検出するよう構成され得る。向きセンサ４００は、照明器具１００の向きを決定するために、１つ以上の加速度計、１つ以上のジャイロスコープ、１つ以上の磁力計、１つ以上の傾斜センサなどを含み得る。照明器具１００の向きは、各々、Ｘ、Ｙ及びＺ軸のまわりの照明器具１００のロール４０４、ピッチ４０６及びヨー４０８によって規定され得る。向きセンサ４００は、照明器具１００の向きを検出すると、向きをプロセッサ１０８に伝えるための向き信号を生成し得る。プロセッサ１０８は、向き信号に基づいて照明モジュール１０６の向きを決定し、向き４００に基づいて照明モジュールの光出力を制御することができる。
【００３０】
各コネクタ１０４、１０５は、少なくとも１つの光源（例えば、LED光源、白熱光源、蛍光光源など）を有する照明モジュールとインターフェースするよう構成される。プロセッサ１０８は、少なくとも１つの光源の光出力を、照明モジュールの位置（ハウジング１０２に対する配置及び／又は向き）に基づいて制御するよう構成される。例えば、上向きの発光モジュールは、低い強度で着色光を発し得る一方で、下向きの発光モジュールは、高い強度で白色光を発し得る。
【００３１】
更に又はその代わりに、各コネクタ１０４、１０５は、コネクタ１０４、１０５又は照明器具１００の環境状態を検出するよう構成される少なくとも１つのセンサ（例えば、温度センサ、光センサ、カメラなど）を有するセンサモジュールとインターフェースするよう構成されてもよく、プロセッサ１０８は、センサモジュールの位置に基づいてセンサモジュールの動作モードを設定するよう構成されてもよい。センサモジュールは、例えば、オーディオセンサを含み得る。プロセッサ１０８は、オーディオセンサの位置（配置及び向き）に応じて、第１動作モード又は第２動作モードを設定することを決定し得る。例えば、第１動作モードにおいては、オーディオセンサは、高感度に設定され得る一方で、第２動作モードにおいては、オーディオセンサは、低感度に設定され得る。これは、オーディオセンサが音声入力を受け取るよう構成される場合に有利であり得る。例えば、上向きのオーディオセンサは、より大きなノイズを必要とする場合があり、それ故、より高い感度を必要とし得る一方で、下向きのオーディオセンサは、より大きくないノイズを必要とする場合があり、それ故、より低い感度を必要とし得る。
【００３２】
照明器具１００は、複数のコネクタ１０４、１０５を有する。実施例においては、第１コネクタは、発光モジュールとインターフェースしていてもよく、第２コネクタは、センサモジュールとインターフェースしていてもよい。プロセッサ１０８は、発光モジュールの光出力を、センサモジュールからのセンサ情報に基づいて決定し得る。センサモジュールは、例えば、複数の人の存在を検出するよう構成される占有センサを含み得る。プロセッサ１０８は、1人の人が検出されるときには、第１光出力、例えば作業照明設定に従って、又は複数の人が検出されるときには、光出力、例えば、周囲光設定に従って、又は人が検出されないときには、「低エネルギ」モードに従って、発光モジュールを制御することを決定し得る。他の例においては、プロセッサ１０８は、現在の光出力に基づいてセンサモジュールの動作モードを決定し得る。発光モジュールは、例えば、冷たい明るい照明を供給するための１つ以上の光源を有してもよく、他の例においては、より明るくない着色照明を供給するための１つ以上の光源を有してもよい。プロセッサ１０８は、例えば、物体及び／又は人の存在を検出するためにカメラを有するセンサモジュールを、発光モジュールが冷たい明るい照明を発するときには、第１動作モード、例えば、低感度に設定すること、又は発光モジュールがより明るくない着色照明を発するときには、第２動作モード、例えば、高感度に設定することを決定し得る。
【００３３】
照明器具１００は、更に、ユーザインターフェースデバイス（例えば、スマートフォン、スマートウォッチ、タブレットPCなど）のような他のデバイスから制御コマンドを受信するよう構成され得る。このような制御コマンドは、例えば、照明器具１００に特定の光設定を適用するための命令を含み得る。ユーザインターフェースデバイスを操作するユーザによって、光設定、例えば、虹色光効果が選択され得る。照明器具１００のプロセッサ１０８は、更に、更にユーザ入力に基づいて動作モードを設定するよう構成され得る。プロセッサ１０８は、例えば、虹色効果（赤色、橙色、黄色、緑色、青色、紫色）の選択に基づいて、第１コネクタに接続された第１照明モジュール１０６の光出力を、虹色のうちの第１の色に従って光を発するよう制御すること、及び５つの他のコネクタの光出力を、それに応じて、それらが虹色の他の５つの色に従って光を発するように制御することを決定し得る。このような光効果は、動的光効果（即ち、時間の経過とともに色相、彩度及び／又明るさを変化させる光効果）であってもよい。
【００３４】
上記の実施例は、本発明を限定するものではなく、説明するものであって、当業者は、添付の請求項の範囲から逸脱せずに多くの別の実施例を設計することができるであろうことに注意されたい。
【００３５】
請求項において、括弧内に配置される如何なる参照符号も、請求項を限定するものとして解釈されるべきではない。「有する」という動詞及びその語形変化の使用は、請求項において明記されている要素又はステップ以外の要素又はステップの存在を除外しない。要素の単数形表記は、このような要素の複数の存在を除外しない。本発明は、幾つかの別個の素子を有するハードウェアによって実施されてもよく、適切にプログラムされたコンピュータ又は処理ユニットによって実施されてもよい。幾つかの手段を挙げている装置の請求項においては、これらの手段の幾つかは、ハードウェアの同一のアイテムによって実施されてもよい。単に、特定の手段が、相互に異なる従属請求項において引用されているという事実は、これらの手段の組み合わせが有利になるように用いられることができないことを示すものではない。
【図１】
0006743142.tif 000002
【図２ａ】
0006743142.tif 000003
【図２ｂ】
0006743142.tif 000004
【図３ａ】
0006743142.tif 000005
【図３ｂ】
0006743142.tif 000006
【図４】
0006743142.tif 000007